(57)【要約】【課題】デンタルインプラント植立用の距離測定器具を提供すること。【解決手段】支持フレームと前記支持フレームの上部に折れ曲がって一体に形成され、内部にドリリングポイントを決定する多数のガイド孔が穿設されたガイドフレームと、を備えることを特徴とするデンタルインプラント植立用の距離測定器具。本発明によれば、支持フレームと一体に形成されたガイドフレームの内部に多数のガイド孔が穿設されることにより、サージカルステント無しにも適切なドリリングポイントを決定することができ、サージカルステントを用いる場合であっても歯槽骨の吸収などにより元の意図通りの個所にインプラントを植立することができないとき、ドリリングポイントを適切に変更することができる。【選択図】図１
2009504304.tif 000002
【特許請求の範囲】
【請求項１】
支持フレームと、
前記支持フレームの一方に折れ曲がって形成され、ドリリングポイントを決定する１以上のガイド孔が穿設されたガイドフレームと、
を備えることを特徴とするデンタルインプラント植立用の距離測定器具。
【請求項２】
前記ガイド孔は、その中心が前記ガイドフレームの内側面から３〜４．５ｍｍ離れた個所に位置して穿設されていることを特徴とする請求項１に記載のデンタルインプラント植立用の距離測定器具。
【請求項３】
前記ガイド孔の直径は１〜２．５ｍｍであって、前記ガイド孔をインプラントドリルが貫通することを特徴とする請求項２に記載のデンタルインプラント植立用の距離測定器具。
【請求項４】
前記ガイドフレームの外面の周縁には目盛が設けられていることを特徴とする請求項１から３のいずれかに記載のデンタルインプラント植立用の距離測定器具。
【請求項５】
前記支持フレームの他方にはドリリングガイドフレームが形成されるが、
前記ドリリングガイドフレームは、一方に穿設された第１のドリリング孔と前記第１のドリリング孔から他方の方向に離れて穿設された第２のドリリング孔とを有することを特徴とする請求項１から３のいずれかに記載のデンタルインプラント植立用の距離測定器具。
【請求項６】
前記ドリリングガイドフレームの外面には階段状の段差よりなるレファレンスポイントが設けられ、前記レファレンスポイントを介してインプラントドリルの長さを測定することを特徴とする請求項５に記載のデンタルインプラント植立用の距離測定器具。
【請求項７】
前記支持フレームの長さの途上には１以上のヒンジが設けられ、ヒンジを中心として前記支持フレームが折れ曲がることを特徴とする請求項１から３のいずれかに記載のデンタルインプラント植立用の距離測定器具。
【請求項８】
前記支持フレームの長さの途上には１以上のヒンジが設けられ、前記ヒンジを中心として前記支持フレームの長さの途上が折れ曲がることを特徴とする請求項５に記載のデンタルインプラント植立用の距離測定器具。
【請求項９】
前記ドリリングガイドフレームには、前記第１のドリリング孔と前記第２のドリリング孔を結ぶ一直線上に第３のドリリング孔が穿設されていることを特徴とする請求項５に記載のデンタルインプラント植立用の距離測定器具。
【請求項１０】
前記第１のドリリング孔は円孔であり、
前記第２のドリリング孔と第３のドリリング孔は半円形の開放孔であって、前記ドリリングガイドフレームの周縁に穿設されていることを特徴とする請求項９に記載のデンタルインプラント植立用の距離測定器具。
【請求項１１】
前記第１のドリリング孔から第３のドリリング孔まで目盛付き定規が設けられていることを特徴とする請求項９に記載のデンタルインプラント植立用の距離測定器具。
【請求項１２】
前記ガイドフレームにはガイドフレームの長手方向に滑り移動するスライダーが取り付けられるが、
前記スライダーは前記ガイドフレームが嵌入される貫通孔が穿設され、前記ガイドフレームを押し付けるように前記スライダーの外側から前記貫通孔の内側に向かってボルトが螺着され、前記ガイドフレームの内側方向に支持台が延在していることを特徴とする請求項１から３のいずれかに記載のデンタルインプラント植立用の距離測定器具。
【請求項１３】
前記ガイドフレームの長手方向に溝が凹設され、前記ボルトが前記溝に嵌入された状態で前記ガイドフレームを押付け固定することを特徴とする請求項１２に記載のデンタルインプラント植立用の距離測定器具。
【発明の詳細な説明】
【技術分野】
【０００１】
本発明は、デンタルインプラント植立用の距離測定器具に係り、さらに詳しくは、支持フレームと、前記支持フレームの上部に折れ曲がって一体に形成され、内部にドリリングポイントを決定する多数のガイド孔が穿設されたガイドフレームとを備えてなるデンタルインプラント植立用の距離測定器具に関する。
【背景技術】
【０００２】
インプラント施術法とは、歯が抜去された箇所にチタン製の人工歯根をあご骨に移植して骨に絡み付けて固定した後、これを用いて入れ歯をする方法を言う。
【０００３】
従来には、歯が抜去された場合、主として抜け歯の前後の歯牙を磨き出した後、歯牙３本に相当する補綴物を入れたり、多数の歯牙が抜去された場合、入れ歯を入れることが一般的な方法であったが、この方法には種々の不便さがあった。
【０００４】
このため、抜去された歯牙をできる限りまるで元の自己の歯牙であるかのように使えるように回復する方法についての研究が盛んになされており、チタンが骨によく絡みつくということを見出して以来、これを応用して歯牙が抜去された個所のあご骨に特殊処理の施されたチタン柱を植え付け、その上に歯牙の顔形状を連結することにより、見かけ上自己の歯牙と同様であり、しかも、機能的にもほとんど自己の歯牙のように噛めるようにするインプラント施術法が開発された。この方法は、歯茎骨に穴をあけた後、チタンという生体金属製のネジ状の人工根を埋め込み、３ヶ月の経過後に歯茎骨と人工根がきつく結合されれば、人工根の上に人工歯牙を連結する方法である。
【０００５】
このように、インプラント施術法の開発により種々の顕著な効果が奏され、以降にも次第に改良されたインプラント施術法が開発されるに至った。すなわち、復元できない歯牙を抜いてから３ヶ月以上が経過し、その個所にインプラントを植え付けることがこれまでの方法であったが、近年には、治癒期間を短縮するための努力として、歯を抜いた後に直ちに植え付ける場合と、インプラントを植え付けてから２ヶ月後に人工歯牙を連結する方法も試みされている。
【０００６】
一方、従来には、インプラントの植立位置を決定するために、先ず、歯牙が欠損した個所に歯の模型を作った後、インプラントの位置を決定する器具としてのサージカルステント（インプラントの位置を決定する個人注文型器具、以下、「サージカルステント」と称する。）を作って、手術時にインプラントの位置を選定してきた。すなわち、従来のインプラント植立のための距離測定器具は固定式であって、大まかな位置を選定して施術者の経験と判断に基づいて植立のための孔を穿設することが一般的であった。しかしながら、上記の如き従来の距離測定器具は、人による異なる口腔構造により限界があり、歯牙隣接部は歯牙による視野の妨害により適切な距離測定が容易ではなく、インプラント植立時にインプラントの方向と角度が不正確になるという不都合があった。
【発明の開示】
【発明が解決しようとする課題】
【０００７】
本発明は上記の諸問題点を解消するためになされたものであり、その目的は、支持フレームと一体に形成されたガイドフレームの内部に多数のガイド孔が穿設されることにより、サージカルステント無しにも適切なドリリングポイントを決定することができ、サージカルステントを用いる場合であっても歯槽骨の吸収などにより元の意図通りの個所にインプラントを植立することができないとき、ドリリングポイントを適切に変更可能なデンタルインプラント植立用の距離測定器具を提供することである。
【０００８】
本発明の他の目的は、ガイドフレームの上部の一方の面に目盛付き定規が含まれてなることにより、歯牙のディスタールサーフィス（後方接触面、以下、「ディスタールサーフィス」と称する。）の形状や歯槽骨などの影響によるドリリングポイントの誤差を判断可能なデンタルインプラント植立用の距離測定器具を提供することである。
【０００９】
本発明のさらに他の目的は、支持フレームと一体に形成されたドリリングガイドフレームの内部の一方に第１のドリリング孔が穿設され、他方の面に第２のドリリング孔が離れて穿設されることにより、前記第１のドリリング孔と第２のドリリング孔との間の間隔だけ離して連続したドリリングポイントを決定可能なデンタルインプラント植立用の距離測定器具を提供することである。
【００１０】
本発明のさらに他の目的は、第２のドリリング孔が穿設されたドリリングガイドフレームの側面に階段状のレファレンスポイントが形成されることにより、手術時に一々ドリルの目盛を定規で測る手間を省けるデンタルインプラント植立用の距離測定器具を提供することである。
【００１１】
本発明のさらに他の目的は、支持フレームの長さの途上がヒンジにより回転自在に連結されることにより、口内に挿入されるときに適切な形状に変形されて挿入可能になることから、正確な距離測定とインプラント植立が行えるデンタルインプラント植立用の距離測定器具を提供することである。
【課題を解決するための手段】
【００１２】
前記目的を達成するために、本発明のデンタルインプラント植立用の距離測定器具は、支持フレームと、前記支持フレームの一方に折れ曲がって形成され、ドリリングポイントを決定する１以上のガイド孔が穿設されたガイドフレームと、を備えることを特徴とする。
【００１３】
好ましくは、前記ガイド孔は、その中心が前記ガイドフレームの内側面から３〜４．５ｍｍ離れた個所に位置して穿設されている。
【００１４】
好ましくは、前記ガイド孔の直径は１〜２．５ｍｍであって、前記ガイド孔をインプラントドリルが貫通する。
【００１５】
好ましくは、前記ガイドフレームの外面の周縁には目盛が設けられている。
【００１６】
好ましくは、前記支持フレームの他方にはドリリングガイドフレームが形成されるが、前記ドリリングガイドフレームは、一方に穿設された第１のドリリング孔と前記第１のドリリング孔から他方の方向に離れて穿設された第２のドリリング孔とを有する。
【００１７】
好ましくは、前記ドリリングガイドフレームの外面には階段状の段差よりなるレファレンスポイントが設けられ、前記レファレンスポイントを介してインプラントドリルの長さを測定する。
【００１８】
好ましくは、前記支持フレームの長さの途上には１以上のヒンジが設けられ、ヒンジを中心として前記支持フレームが折れ曲がる。
【００１９】
好ましくは、前記支持フレームの長さの途上には１以上のヒンジが設けられ、前記ヒンジを中心として前記支持フレームの長さの途上が折れ曲がる。
【００２０】
好ましくは、前記ドリリングガイドフレームには、前記第１のドリリング孔と前記第２のドリリング孔を結ぶ一直線上に第３のドリリング孔が穿設されている。
【００２１】
好ましくは、前記第１のドリリング孔は円孔であり、前記第２のドリリング孔と第３のドリリング孔は半円形の開放孔であって、前記ドリリングガイドフレームの周縁に穿設されている。
【００２２】
好ましくは、前記第１のドリリング孔から第３のドリリング孔まで目盛付き定規が設けられている。
【００２３】
好ましくは、前記ガイドフレームにはガイドフレームの長手方向に滑り移動するスライダーが取り付けられるが、前記スライダーは前記ガイドフレームが嵌入される貫通孔が穿設され、前記ガイドフレームを押し付けるように前記スライダーの外側から前記貫通孔の内側に向かってボルトが螺着され、前記ガイドフレームの内側方向に支持台が延在している。
【００２４】
好ましくは、前記ガイドフレームの長手方向に溝が凹設され、前記ボルトが前記溝に嵌入された状態で前記ガイドフレームを押付け固定する。
【発明の効果】
【００２５】
本発明によれば、支持フレームと一体に形成されたガイドフレームの内部に多数のガイド孔が穿設されることにより、サージカルステント無しにも適切なドリリングポイントを決定することができ、サージカルステントを用いる場合であっても歯槽骨の吸収などにより元の意図通りの個所にインプラントを植立することができないとき、ドリリングポイントを適切に変更することができる。
【００２６】
また、ガイドフレームの外周縁に目盛付き定規が含まれてなることにより、歯牙のディスタールサーフィスの形状や歯槽骨などの影響によるドリリングポイントの誤差を判断することができる。
【００２７】
さらに、支持フレームと一体に形成されたドリリングガイドフレームの内部の一方に第１のドリリング孔が穿設され、他方の面に第２のドリリング孔が一定の距離だけ離れて穿設されることにより、連続したドリリングポイントを決定することができる。
【００２８】
さらにまた、第２のドリリング孔が穿設されたドリリングガイドフレームの側面に階段状のレファレンスポイントが形成されることにより、手術時に一々ドリルの目盛を定規で測る手間を省くことができる。
【００２９】
さらにまた、支持フレームの長さの途上がヒンジ結合されて回転自在に連結されることにより、口内に挿入されるときに適切な形状に変形されて挿入可能になることから、正確な距離測定とインプラント植立が行える。
【発明を実施するための最良の形態】
【００３０】
以下、添付図面に基づき、本発明の好適な実施形態を詳述する。
【００３１】
［第１の実施形態］
図１は、本発明の第１の実施形態によるデンタルインプラント植立用の距離測定器具の構成図であり、図２及び図３は、図１に示すデンタルインプラント植立用の距離測定器具を用いてドリリングポイントを決定する使用状態図である。
【００３２】
第１の実施形態のデンタルインプラント植立用の距離測定器具は、図１に示すように、緩やかな曲線状に設けられ、取っ手の機能を有する支持フレーム１００と、前記支持フレーム１００の一方に折れ曲がって形成されたガイドフレーム２００と、を備える。
【００３３】
また、前記支持フレーム１００の他方の末端の幅は７〜８ｍｍＬ２０であって、図６に示すように、２以上のインプラント４３０を連続して植立する場合にインプラント間隔を容易に決定することができる。通常のインプラントの間隔は７〜８ｍｍである。
【００３４】
さらに、前記ガイドフレーム２００の平面には３本のガイド孔２１０が穿設され、前記ガイド孔２１０はドリリングポイントを決定するときに用いられる。また、歯牙４１０に接触するガイドフレーム２００の内側の凹面の長さＬ１０は１５ｍｍであり、歯牙４１０と安定した接触状態を維持可能にガイドフレーム２００の内側は緩やかな曲線状に、すなわち、凹設されることが好ましい。
【００３５】
図３に示すように、前記ガイド孔２１０はインプラントドリル５００の直径と同じ直径に穿設される。このため、ガイド孔４２０にインプラントドリル５００を貫通してインプラント植立孔４２０を容易に穿設することができる。通常のインプラントドリル５００の直径は１〜２．５ｍｍであって、ガイド孔２１０の直径もまたインプラントドリル５００の直径に準じて１〜２．５ｍｍであることが好ましい。
【００３６】
また、ガイドフレーム２００には３本のガイド孔２１０が穿設されるが、それぞれのガイド孔２１０の中心は前記ガイドフレーム２００の内側の凹面から３ｍｍ、３．５ｍｍ、４ｍｍの距離Ｌ１１、Ｌ１２、Ｌ１３だけ離れて位置する。
【００３７】
一方、前記距離とは異なり、前記ガイドフレーム２００の内側の凹面からガイド孔２１０の中心までの距離Ｌ１１、Ｌ１２、Ｌ１３を３．５ｍｍ、４ｍｍ、４．５ｍｍと異ならせて形成することができる。このような距離は、通常の成人歯牙のサイズに応じて設定されるため、最小３ｍｍから最大４．５ｍｍの範囲内で設定される。
【００３８】
一方、インプラント４３０の植立に際し、歯牙４１０の隣接部は、歯牙４１０による視野の遮断により適切な距離の測定が容易ではない。このため、図２に示すように、本発明のデンタルインプラント植立用の距離測定器具を用いて適切なドリリングポイントを決定することができる。
【００３９】
前記支持フレーム１００は、高温及び加圧消毒が可能な金属や使い捨ての透明プラスチック材質から形成されることが好ましい。
【００４０】
［第２の実施形態］
図４は、本発明の第２の実施形態によるデンタルインプラント植立用の距離測定器具の構成図であり、図５は、図４に示すデンタルインプラント植立用の距離測定器具を用いて歯槽骨の幅を測定する使用状態図であり、図６は、図１及び図４に示すデンタルインプラント植立用の距離測定器具を用いて連続したドリリングポイントを決定する使用状態図である。
【００４１】
第２の実施形態のデンタルインプラント植立用の距離測定器具と第１の実施形態とを比較したとき、第２の実施形態のデンタルインプラント植立用の距離測定器具は、ガイドフレーム２００の外周縁に目盛が印子されて目盛付き定規として用いることができるという機能が追加されている以外は、他の構成要素と同様である。このため、第１の実施形態において説明した具体的な構成要素についての詳細な説明は省き、その代わりに同じ図面符号を付する。
【００４２】
図４及び図５に示すように、第２の実施形態のデンタルインプラント植立用の距離測定器具は、緩やかな曲線状の支持フレーム１００と、前記支持フレーム１００の一方に折れ曲がって一体に形成されたガイドフレーム２００と、を備え、前記ガイドフレーム２００の外周縁には目盛付き定規２２０が形成されて歯槽骨の幅を測定する。好ましくは、前記目盛付き定規２２０はガイドフレーム２００の両面に形成される。
【００４３】
［第３の実施形態］
図７は、本発明の第３の実施形態によるデンタルインプラント植立用の距離測定器具の構成図であり、図８は、図７に示すドリリングガイドフレームを示す詳細図であり、図９は、図７に示すデンタルインプラント植立用の距離測定器具を用いてドリルの長さを測定する使用状態図である。そして、図１０は、図７に示すデンタルインプラント植立用の距離測定器具を用いて連続したインプラント植立孔を決定する使用状態図であり、図１１は、歯茎にインプラント植立後、人工歯牙が植え付けられた状態図であり、図１２は、既成のインプラント手術セットに含まれているガイドピンの正面図である。
【００４４】
後述する第３の実施形態のデンタルインプラント植立用の距離測定器具と第２の実施形態とを比較したとき、第３の実施形態のデンタルインプラント植立用の距離測定器具は、支持フレーム１００の他端にドリリングガイドフレーム３００がさらに設けられているものであり、以下では、ドリリングガイドフレーム３００の構成について詳述し、第２の実施形態において説明した構成要素についての説明は省略する。
【００４５】
第３の実施形態のデンタルインプラント植立用の距離測定器具は、図７に示すように、緩やかな曲線状の支持フレーム１００と、前記支持フレーム１００の一方に折れ曲がって一体に形成され、外周縁に目盛付き定規２２０が形成されたガイドフレーム２００及び、連続したインプラント４３０の植立位置を決定し、インプラントドリル５００の長さを測定するドリリングガイドフレーム３００を備える。
【００４６】
図８及び図１０に示すように、前記ドリリングガイドフレーム３００の一方の内部には第１のドリリング孔３１０が穿設され、他方の面には第２のドリリング孔３２０が前記第１のドリリング孔３１０から離れて穿設されている。
【００４７】
前記第１のドリリング孔３１０及び第２のドリリング孔３２０は、前記ガイド孔２１０の直径と同様に２ｍｍの直径であり、前記第１のドリリング孔３１０及び第２のドリリング孔３２０との間の間隔は７〜８ｍｍＬ３０であって、連続したインプラントを植立するときにおける通常のインプラント間の７〜８ｍｍの間隔と同じである。
【００４８】
一方、上述したように、第１のドリリング孔３１０及び第２のドリリング孔３２０において、直径２ｍｍ及び間隔７〜８ｍｍの数値は良好な一例であって、場合によっては、直径は１〜２．５ｍｍの範囲内で調整可能であり、間隔をより広く形成しても、またはより狭く形成してもよい。
【００４９】
前記ガイドピン６００は、あらゆる既成インプラント手術セットにあるガイドピンであって、図１２に示すように、上部の直径は３ｍｍ、下部の直径は２ｍｍに形成されることが好ましい。
【００５０】
一方、前記ドリリングガイドフレーム３００の側面には、図９に示すように、インプラントドリル５００の長さを測定する階段状のレファレンスポイント３３０が形成される。階段状のレファレンスポイント３３０は３段構造であって、末端から各段差までの距離Ｌ４１、Ｌ４２、Ｌ４３は、８ｍｍ、１０ｍｍ、１２ｍｍである。
【００５１】
このように構成されたレファレンスポイント３３０は、手術時にインプラントドリル５００の長さを容易に測定可能にする一種の目盛付き定規の機能を行う。通常のインプラントドリル５００の長さは、８ｍｍ、１０ｍｍ、１２ｍｍである。
【００５２】
ここで、、レファレンスポイントの末端から各段差までの距離Ｌ４１、Ｌ４２、Ｌ４３を限定する数値は、良好な一例に過ぎず、上記した数値にレファレンスポイントの構成が限定されるものではない。
【００５３】
［第４の実施形態］
図１３は、本発明の第４の実施形態によるデンタルインプラント植立用の距離測定器具の構成図であり、図１４は、図１３に示すデンタルインプラント植立用の距離測定器具の使用状態図である。
【００５４】
第４の実施形態のデンタルインプラント植立用の距離測定器具と第３の実施形態のデンタルインプラント植立用の距離測定器具とを比較したとき、第４の実施形態のデンタルインプラント植立用の距離測定器具は、支持フレーム１００の多数の個所がヒンジ結合されて折れ曲がるように構成されている以外は、第３の実施形態と同様である。このため、第３の実施形態において説明した構成要素についての説明は省く。
【００５５】
図１３及び図１４に示すように、支持フレーム１００の一方にはガイドフレーム２００が形成され、他方にはドリリングガイドフレーム３００が形成され、前記支持フレーム１００は多数に分割され、その分割された端部はそれぞれのヒンジにより旋回自在に連結される。
【００５６】
より具体的に、支持フレーム１００は３つに分割され、分割された端部は互いに第１のヒンジ１１０と第２のヒンジ１２０によりそれぞれ旋回自在に連結される。このため、支持フレーム１００は第１のヒンジ１１０と第２のヒンジ１２０により折れ曲がる。
【００５７】
以下、このように構成された本発明のデンタルインプラント植立用の距離測定器具の使用関係について説明する。
【００５８】
最初のインプラント４３０の植立のためのドリリングポイントを決定するために、ガイドフレーム２００の内側の凹面を歯牙４１０に隣接し、ドリリングポイントの位置に応じて適切な距離に形成されたあるガイド孔２１０を選択してドリリングポイントを決定する。すなわち、ガイドフレーム２００の内側の凹面からガイド孔２１０の中心までの距離Ｌ１１、Ｌ１２、Ｌ１３である３ｍｍ、３．５ｍｍまたは４ｍｍのうちいずれかの適正距離を選択してドリリングポイントとして決定する。実質的に、歯牙４１０の隣接部は歯牙４１０による視野の妨害により適正距離の測定が困難であるため、本発明のデンタルインプラント植立用の距離測定器具を用いてドリリングポイントを決定する。
【００５９】
一方、前記ガイドフレーム２００の外周縁には目盛付き定規２２０が形成されるので、前記ガイド孔２１０によりドリリングポイントを決定するとしても、歯牙４１０のディスタールサーフィスの形状や歯槽骨などの影響により発生しうるドリリングポイントの誤差を判断するために、前記目盛付き定規２２０を用いて正確な位置をチェックすることができる。
【００６０】
また、図５に示すように、前記目盛付き定規２２０を用いて歯槽骨の幅を測定することにより、適切な直径のインプラント４３０を選択するのに有用であり、歯槽の真ん中にドリリングポイントを決定する上でガイドの役割を果たす。
【００６１】
最初のインプラント４３０の植立のためのドリリングポイントを決定した後、ドリリングにより最初のインプラント植立孔４２０を形成する。また、継続するインプラント４３０の植立のためのドリリングポイントを決定するために、ドリリングガイドフレーム３００が用いられる。図１０から図１２に示すように、ガイドピン６００を第１のドリリング孔３１０に嵌合し、決定された最初のインプラント植立孔４２０に前記ガイドピン６００を差し込んで前記ドリリングガイドフレーム３００を歯槽骨または歯茎４００に固定する。前記第１のドリリング孔３１０と第２のドリリング孔３２０との間の距離は７〜８ｍｍであって、連続してインプラント４３０を植立するための通常の距離Ｌ３０である７〜８ｍｍと同じであるため、定規を用いて距離を測定することが不要になり、第２のドリリング孔３２０にドリリングを行うことにより、容易に２番目のインプラント植立孔４２１を決定することができる。
【００６２】
一方、図９に示すように、通常のインプラントドリル５００は、その長さが８または８．５ｍｍ、あるいは、１０ｍｍまたは１２または１１．５ｍｍであって、インプラントドリル５００を容易に測定可能に階段状のレファレンスポイント３３０を用いて施術時に一々ドリルの目盛を定規で測る手間を省くことができる。
【００６３】
一方、図１３及び図１４に示すように、支持フレーム１００が３個に分割された状態で、分割された端部が第１のヒンジ１１０及び第２のヒンジ１２０により旋回して折れ曲がることにより、空間の手狭い口内に適切な形状に変形されて挿入される。このため、より正確なインプラント施術が行える。
【００６４】
［第５の実施形態］
図１５は、本発明の第５の実施形態によるデンタルインプラント植立用の距離測定器具の構成図であり、図１６は、図１５に示すデンタルインプラント植立用の距離測定器具の使用状態図である。
【００６５】
図１５及び図１６に示すように、第５の実施形態のデンタルインプラント植立用の距離測定器具は、支持フレーム１００の一端にガイドフレーム２００が形成され、支持フレーム１００の他端にはドリリングガイドフレーム３００が形成される。前記ガイドフレーム２００については上述したため、その詳細についての説明は省く。
【００６６】
前記ドリリングガイドフレーム３００は、その一方に第１のドリリング孔３１０が穿設される。また、ドリリングガイドフレーム３００の他方の方向に第１のドリリング孔３１０から８ｍｍ離れた個所に第２のドリリング孔３２０が穿設され、第１のドリリング孔３１０から１４ｍｍ離れた個所に第３のドリリング孔３２１が穿設される。ここで、図１５に示すように、一直線上に位置する第１、第２及び第３のドリリング孔３１０、３２０、３２１のうち第１のドリリング孔３１０は真円孔であり、第２及び第３のドリリング孔３２０、３２１は半円形の開放孔である。ドリリングガイドフレーム３００はその一部が切り取られた「Ｌ」字状であって、ドリリングガイドフレーム３００の一方に第１のドリリング孔３１０が穿設され、他方の内側面に半円形の第２及び第３のドリリング孔３２０、３２１が穿設され、第１のドリリング孔３１０の中心から第２のドリリング孔３２０の中心までの距離Ｌ５１は８ｍｍであり、第１のドリリング孔３１０の中心から第３のドリリング孔３２１の中心までの距離Ｌ５２は１４ｍｍである。
【００６７】
そして、第１のドリリング孔３１０から第２及び第３のドリリング孔３２０、３２１に向かって目盛付き定規３２３がドリリングガイドフレーム３００に印字される。
【００６８】
以下、このように構成されたドリリングガイドフレームを用いて連続したインプラントの位置を決定する過程について説明する。
【００６９】
上述したように、ガイドフレーム２００を用いて最初のインプラント植立孔４２０を穿設する。また、前記最初のインプラント植立孔４２０を基準として連続してインプラント４３０を植立する場合に、ドリリングガイドフレーム３００の第１のドリリング孔３１０を前記最初のインプラント植立孔４２０に対応付ける。そして、ガイドピン６００が第１のドリリング孔３１０を貫通した状態で、ガイドピン６００を最初のインプラント植立孔４２０に挿着する。この状態で、第２のドリリング孔３２０にインプラントドリル５００を位置付けた後、２番目のインプラント植立孔４２１を穿設する。ここで、最初のインプラント植立孔４２０と２番目のインプラント植立孔４２１との間の距離は８ｍｍとなる。
【００７０】
もし、３本のインプラント植立孔を穿設したい場合に、ガイドピン６００を最初のインプラント植立孔４２０から除去した後、ガイドピン６００が第１のドリリング孔３１０を貫通した状態で、ガイドピン６００を２番目のインプラント植立孔４２１に挿着し、第２のドリリング孔３２０を介して３番目のインプラント植立孔を穿設する。
【００７１】
一方、インプラント施術例として、上述した、インプラント４３０を８ｍｍの間隔にて施術する場合が通常であるが、場合によっては、インプラント４３０の間隔を１４ｍｍにして施術する場合がある。この場合には、第１のドリリング孔３１０を貫通したガイドピン６００を最初のインプラント植立孔４２０に固定し、第３のドリリング孔３２１に介して２番目のインプラント植立孔を穿設する。ここで、最初のインプラント植立孔４２０と２番目のインプラント植立孔４２１との間の間隔は１４ｍｍである。
【００７２】
一方、上述した第１のドリリング孔３１０と第２のドリリング孔３２０との間の間隔である８ｍｍと、第１のドリリング孔３１０と第３のドリリング孔３２１との間の間隔である１４ｍｍは、良好な一例に過ぎず、これを限定するものではなく、前記間隔は変更可能である。
【００７３】
［第６の実施形態］
図１７は、本発明の第６の実施形態によるデンタルインプラント植立用の距離測定器具の構成図であり、図１８は、図１７に示すデンタルインプラント植立用の距離測定器具の断面図であり、図１９は、図１７に示すデンタルインプラント植立用の距離測定器具の使用状態図である。
【００７４】
第６の実施形態のデンタルインプラント植立用の距離測定器具は、第５の実施形態のデンタルインプラント植立用の距離測定器具と同様であり、ガイドフレームが歯牙に接した状態でより安定して位置するようにスライダーがさらに備えられる。
【００７５】
図１７から図１９に示すように、ガイドフレーム２００には、スライダー２３０が挟まれてガイドフレーム２００に沿って長手方向に移動する。
【００７６】
前記スライダー２３０には貫通孔２３１が形成され、貫通孔２３１にはガイドフレーム２００の先端が嵌め込まれるが、前記貫通孔２３１はガイドフレーム２００の後端の断面積と同じ面積を有する。このため、スライダー２３０の貫通孔２３１にガイドフレーム２００の先端が嵌め込まれた状態で、スライダー２３０はガイドフレーム２００の後端まで滑り移動可能である。
【００７７】
そして、スライダー２３０の上部には雌ネジ孔２３３が形成され、雌ネジ孔２３３にはボルト２３５が螺合されてボルト２３５の下端が貫通孔２３１の内側に入り込んでガイドフレーム２００を押し付ける。
【００７８】
一方、ガイドフレーム２００の外面には長手方向に溝２１１が形成される。前記溝２１１にはボルト２３５の端部が嵌め込まれて位置することにより、ボルト２３５が雌ネジ孔２３３から解放されて溝２１１から外れる前には、ガイドフレーム２００からスライダー２３０が離脱することはない。そして、スライダー２３０は下向きに支持台２３７が形成されるが、前記支持台２３７は、ガイドフレーム２００とほとんど垂直をなす。
【００７９】
このようにスライダー２３０付きガイドフレーム２００を介してインプラント植立孔４２０の位置を決定するために歯牙４１０にガイドフレーム２００の内側の凹面を接触させたとき、ほとんど垂直をなすスライダー２３０の支持台２３７とガイドフレーム２００の内側の凹面が歯牙４１０の両側面に接して位置することにより、ガイドフレーム２００がより安定して位置することができる。結局として、スライダー２３０がない場合には、インプラント植立孔４２０の位置を決定するに際し、ガイドフレーム２００が歯牙４１０の一方の側面にのみ接するためやや不安定であるが、スライダー２３０とガイドフレーム２００が歯牙４１０の両側面に接すれば、さらに安定してインプラント植立孔４２０を決定することができる。
【００８０】
一方、歯牙４１０のサイズに応じて、スライダー２３０をガイドフレーム２００の長手方向に移動して調節することができる。
【産業上の利用可能性】
【００８１】
本発明はデンタルインプラント植立用の距離測定器具に係り、より詳細には、支持フレームと、前記支持フレームの上部に折れ曲がって一体に形成され、内部にドリリングポイントを決定する多数のガイド孔が穿設されたガイドフレームと、を備えてなるデンタルインプラント植立用の距離測定器具に関する。
【図面の簡単な説明】
【００８２】
【図１】本発明の第１の実施形態によるデンタルインプラント植立用の距離測定器具の構成図である。
【図２】図１に示すデンタルインプラント植立用の距離測定器具を用いてドリリングポイントを決定する使用状態図である。
【図３】図１に示すデンタルインプラント植立用の距離測定器具を用いてドリリングポイントを決定する使用状態図である。
【図４】本発明の第２の実施形態によるデンタルインプラント植立用の距離測定器具の構成図である。
【図５】図４に示すデンタルインプラント植立用の距離測定器具を用いて歯槽骨の幅を測定する使用状態図である。
【図６】図１及び図４に示すデンタルインプラント植立用の距離測定器具を用いて連続したドリリングポイントを決定する使用状態図である。
【図７】本発明の第３の実施形態によるデンタルインプラント植立用の距離測定器具の構成図である。
【図８】図７に示すドリリングガイドフレームを示す詳細図である。
【図９】図７に示すデンタルインプラント植立用の距離測定器具を用いてドリルの長さを測定する使用状態図である。
【図１０】図７に示すデンタルインプラント植立用の距離測定器具を用いて連続したインプラント植立孔を決定する使用状態図である。
【図１１】歯茎にインプラント植立後、人工歯牙が植え付けられた状態図である。
【図１２】既成のインプラント手術セットに含まれたガイドピンの正面図である。
【図１３】本発明の第４の実施形態によるデンタルインプラント植立用の距離測定器具の構成図である。
【図１４】図１３に示すデンタルインプラント植立用の距離測定器具の使用状態図である。
【図１５】本発明の第５の実施形態によるデンタルインプラント植立用の距離測定器具の構成図である。
【図１６】図１５に示すデンタルインプラント植立用の距離測定器具の使用状態図である。
【図１７】本発明の第６の実施形態によるデンタルインプラント植立用の距離測定器具の構成図である。
【図１８】図１７に示すデンタルインプラント植立用の距離測定器具の断面図である。
【図１９】図１７に示すデンタルインプラント植立用の距離測定器具の使用状態図である。
【符号の説明】
【００８３】
１００：支持フレーム
１１０：第１のヒンジ
１２０：第２のヒンジ
２００：ガイドフレーム
２１０：ガイド孔
２２０：目盛付き定規
２３０：スライダー
２３７：支持台
３００：ドリリングガイドフレーム
３１０：第１のドリリング孔
３２０：第２のドリリング孔
３３０：レファレンスポイント
４００：歯茎
４１０：歯牙
４１０ａ：人工歯牙
４２０、４２１：インプラント植立孔
４３０：インプラント
５００：インプラントドリル
６００：ガイドピン
【図１】
2009504304.tif 000003
【図２】
2009504304.tif 000004
【図３】
2009504304.tif 000005
【図４】
2009504304.tif 000006
【図５】
2009504304.tif 000007
【図６】
2009504304.tif 000008
【図７】
2009504304.tif 000009
【図８】
2009504304.tif 000010
【図９】
2009504304.tif 000011
【図１０】
2009504304.tif 000012
【図１１】
2009504304.tif 000013
【図１２】
2009504304.tif 000014
【図１３】
2009504304.tif 000015
【図１４】
2009504304.tif 000016
【図１５】
2009504304.tif 000017
【図１６】
2009504304.tif 000018
【図１７】
2009504304.tif 000019
【図１８】
2009504304.tif 000020
【図１９】
2009504304.tif 000021
【国際調査報告】
2009504304.tif 000022
2009504304.tif 000023